(57)【要約】      （修正有）【課題】印刷物を撮影した撮影画像に対して予め定められた処理を実行する場合に、より高画質な画像を用いて処理を実行可能とする。【解決手段】携帯端末は、ドキュメントを印刷した印刷物を撮影し（Ｓ５０１）、印刷物を撮影することで得られた撮影画像から、ドキュメントを特定する特定情報を用いて、ドキュメントから生成されるドキュメント画像の生成を要求し（Ｓ５０８）、生成されたドキュメント画像を用いて予め定められた処理を実行する（Ｓ５１０）。【選択図】図６
2015103942.tif 000002
【特許請求の範囲】
【請求項１】
電子データであるドキュメントを印刷した印刷物を撮影する撮影手段と、
前記撮影手段により前記印刷物を撮影することで得られた撮影画像から、前記ドキュメントを特定する特定情報を取得する特定情報取得手段と、
前記特定情報取得手段により取得された前記特定情報を用いて、前記ドキュメントから生成されるドキュメント画像の生成を要求する要求手段と、
前記要求手段による要求によって生成された前記ドキュメント画像を用いて予め定められた処理を実行する実行手段と
を有することを特徴とする携帯端末。
【請求項２】
前記印刷物に、前記ドキュメント画像に合成された合成画像がさらに印刷されている場合には、
前記特定情報取得手段は、前記撮影画像から、前記合成画像に関する合成画像情報を特定する他の特定情報をさらに取得し、
前記取得手段は、前記特定情報、及び前記他の特定情報を用いて、前記ドキュメント画像に前記合成画像が合成された合成ドキュメント画像を取得することを特徴とする請求項１記載の携帯端末。
【請求項３】
前記撮影画像に、印刷物の印刷後に新たに加えられた要素を示す画像が含まれている場合には、前記取得手段は、前記ドキュメント画像に前記新たに加えられた要素を示す画像が合成された追加要素合成ドキュメント画像を取得することを特徴とする請求項１又は請求項２記載の携帯端末。
【請求項４】
前記特定情報は、前記ドキュメントが記憶された場所を示すファイルパスであることを特徴とする請求項１乃至請求項３のいずれか１項に記載の携帯端末。
【請求項５】
前記予め定められた処理は、前記ドキュメント画像を表示する処理、または前記ドキュメント画像の印刷を画像形成装置に要求する処理であることを特徴とする請求項１乃至請求項４のいずれか１項に記載の携帯端末。
【請求項６】
前記予め定められた処理が前記ドキュメント画像を表示する処理の場合に、表示するために要求された要求解像度が前記撮影画像の解像度の２倍以上であるときは、前記取得手段は前記ドキュメント画像を取得せずに、前記実行手段は前記撮影画像を前記要求解像度で表示することを特徴とする請求項５記載の携帯端末。
【請求項７】
画像形成装置が印刷するドキュメントを記憶する記憶手段と、
前記記憶手段により記憶された前記ドキュメントを特定する特定情報を取得する取得手段と、
前記ドキュメントから前記画像形成装置で印刷するための印刷データを生成する生成手段と、
前記特定情報を示す画像を前記生成手段により生成された印刷データに追加する追加手段と、
前記追加手段により前記特定情報を示す画像が追加された印刷データを印刷するために前記画像形成装置に送付する送付手段と
を有することを特徴とする情報処理装置。
【請求項８】
前記印刷データに合成画像を合成する場合には、
前記記憶手段は、前記合成画像に関する合成画像情報をさらに記憶し、
前記取得手段は、前記記憶手段によりさらに記憶された前記合成画像情報を特定する他の特定情報をさらに取得し、
前記追加手段は、前記他の特定情報を示す画像を前記印刷データにさらに追加することを特徴とする請求項７記載の情報処理装置。
【請求項９】
前記特定情報は、前記ドキュメントが記憶された場所を示すファイルパスであり、前記他の特定情報は、前記合成画像情報が記憶された場所を示すファイルパスであることを特徴とする請求項８記載の情報処理装置。
【請求項１０】
ドキュメントから生成されるドキュメント画像の生成を、前記ドキュメントを特定する特定情報とともに要求された場合に、前記ドキュメントから前記ドキュメント画像を生成する生成手段と、
前記生成手段に生成された前記ドキュメント画像を要求元に提供する提供手段と
を有することを特徴とするサーバ。
【請求項１１】
前記ドキュメント画像の生成を、前記ドキュメント画像に合成する合成画像に関する合成画像情報を特定する他の特定情報とともに要求された場合には、
前記生成手段は、前記他の特定情報で特定される前記合成画像情報から前記合成画像をさらに生成して前記ドキュメント画像に合成した合成ドキュメント画像を生成し、
前記提供手段は、前記合成ドキュメント画像を提供することを特徴とする請求項１０記載のサーバ。
【請求項１２】
印刷物の印刷後に新たに加えられた要素を示す画像が含まれている撮影画像を受信した場合には、前記ドキュメント画像と撮影画像との差分をとることで前記新たに加えられた要素を示す画像を抽出し、前記提供手段は前記ドキュメント画像に前記抽出した画像を合成した追加要素合成ドキュメント画像を提供することを特徴とする請求項１０又は請求項１１記載のサーバ。
【請求項１３】
情報処理装置、携帯端末、及びサーバを有する画像形成システムであって、
前記情報処理装置は、
画像形成装置が印刷するドキュメントを記憶する記憶手段と、
前記記憶手段により記憶された前記ドキュメントを特定する特定情報を取得する取得手段と、
前記ドキュメントから前記画像形成装置で印刷するための印刷データを生成する生成手段と、
前記特定情報を示す画像を前記生成手段により生成された印刷データに追加する追加手段と、
前記追加手段により前記特定情報を示す画像が追加された印刷データを印刷するために前記画像形成装置に送信する送信手段と
を有し、
前記携帯端末は、
前記画像形成装置が前記特定情報を示す画像が追加された印刷データを印刷した印刷物を撮影する撮影手段と、
前記撮影手段により前記印刷物を撮影することで得られた撮影画像から、前記特定情報を取得する特定情報取得手段と、
前記特定情報取得手段により取得された前記特定情報を用いて、前記ドキュメントから生成されるドキュメント画像の生成を前記サーバに要求する要求手段と、
前記要求手段による要求によって生成された前記ドキュメント画像を用いて予め定められた処理を実行する実行手段と、
を有し、
前記サーバは、
ドキュメントから生成されるドキュメント画像の生成を、前記ドキュメントを特定する特定情報とともに要求された場合に、前記ドキュメントから前記ドキュメント画像を生成する生成手段と、
前記生成手段に生成された前記ドキュメント画像を要求元に提供する提供手段と、
を有することを特徴とする画像形成システム。
【請求項１４】
携帯端末の制御方法であって、
電子データであるドキュメントを印刷した印刷物を撮影する撮影ステップと、
前記撮影ステップにより前記印刷物を撮影することで得られた撮影画像から、前記ドキュメントを特定する特定情報を取得する特定情報取得ステップと、
前記特定情報取得ステップにより取得された前記特定情報を用いて、前記ドキュメントから生成されるドキュメント画像の生成を要求する要求ステップと、
前記要求ステップによる要求によって生成された前記ドキュメント画像を用いて予め定められた処理を実行する実行ステップと
を有することを特徴とする制御方法。
【請求項１５】
情報処理装置の制御方法であって、
画像形成装置が印刷するドキュメントを記憶する記憶ステップと、
前記記憶ステップにより記憶された前記ドキュメントを特定する特定情報を取得する取得ステップと、
前記ドキュメントから前記画像形成装置で印刷するための印刷データを生成する生成ステップと、
前記特定情報を示す画像を前記生成ステップにより生成された印刷データに追加する追加ステップと、
前記追加ステップにより前記特定情報を示す画像が追加された印刷データを印刷するために前記画像形成装置に送付する送付ステップと
を有することを特徴とする制御方法。
【請求項１６】
サーバの制御方法であって、
ドキュメントから生成されるドキュメント画像の生成を、前記ドキュメントを特定する特定情報とともに要求された場合に、前記ドキュメントから前記ドキュメント画像を生成する生成ステップと、
前記生成ステップに生成された前記ドキュメント画像を要求元に提供する提供ステップと
を有することを特徴とする制御方法。
【請求項１７】
携帯端末の制御方法をコンピュータに実行させるためのプログラムであって、
前記制御方法は、
電子データであるドキュメントを印刷した印刷物を撮影する撮影ステップと、
前記撮影ステップにより前記印刷物を撮影することで得られた撮影画像から、前記ドキュメントを特定する特定情報を取得する特定情報取得ステップと、
前記特定情報取得ステップにより取得された前記特定情報を用いて、前記ドキュメントから生成されるドキュメント画像の生成を要求する要求ステップと、
前記要求ステップによる要求によって生成された前記ドキュメント画像を用いて予め定められた処理を実行する実行ステップと
を有することを特徴とするプログラム。
【請求項１８】
情報処理装置の制御方法をコンピュータに実行させるためのプログラムであって、
前記制御方法は、
画像形成装置が印刷するドキュメントを記憶する記憶ステップと、
前記記憶ステップにより記憶された前記ドキュメントを特定する特定情報を取得する取得ステップと、
前記ドキュメントから前記画像形成装置で印刷するための印刷データを生成する生成ステップと、
前記特定情報を示す画像を前記生成ステップにより生成された印刷データに追加する追加ステップと、
前記追加ステップにより前記特定情報を示す画像が追加された印刷データを印刷するために前記画像形成装置に送付する送付ステップと
を有することを特徴とするプログラム。
【請求項１９】
サーバの制御方法をコンピュータに実行させるためのプログラムであって、
前記制御方法は、
ドキュメントから生成されるドキュメント画像の生成を、前記ドキュメントを特定する特定情報とともに要求された場合に、前記ドキュメントから前記ドキュメント画像を生成する生成ステップと、
前記生成ステップに生成された前記ドキュメント画像を要求元に提供する提供ステップと
を有することを特徴とするプログラム。
【発明の詳細な説明】
【技術分野】
【０００１】
本発明は、携帯端末、情報処理装置、サーバ及びその制御方法、並びにプログラムに関する。
【背景技術】
【０００２】
従来、ドキュメントの画像情報と識別情報を関連付けてデータベースに記憶し、スキャン時に識別情報を検知し、識別情報に一致する画像情報があれば、スキャン画像ではなく画像情報を出力する技術がある（例えば、特許文献１参照）。
【０００３】
また、最近はドキュメントの印刷物をカメラ付き携帯端末で気軽に撮影し、撮影画像を携帯端末で表示し、必要に応じてプリンタで印刷するというユースケースが存在する。
【先行技術文献】
【特許文献】
【０００４】
【特許文献１】特開平１０−２８５３７８号公報
【発明の概要】
【発明が解決しようとする課題】
【０００５】
携帯端末で撮影画像を拡大表示したり印刷したりする場合、撮影画像の画質では詳細部分の表示や印刷には不十分な場合がある。また、印刷物によっては、ウォーターマークのようにプリンタドライバが追加した印刷部分があったり、ユーザが貼った付箋紙があったりする。
【０００６】
このようにプリンタドライバやユーザが印刷物に対して後から追加した情報は、ドキュメント自体に存在しないので、ドキュメントの識別情報に一致する画像情報から再現することができない。
【０００７】
本発明の目的は、印刷物を撮影した撮影画像に対して予め定められた処理を実行する場合に、より高画質な画像を用いて処理を実行可能な画像形成システム、携帯端末、情報処理装置、サーバ及びその制御方法、並びにプログラムを提供することにある。
【課題を解決するための手段】
【０００８】
上記目的を達成するために、請求項１の携帯端末は、電子データであるドキュメントを印刷した印刷物を撮影する撮影手段と、前記撮影手段により前記印刷物を撮影することで得られた撮影画像から、前記ドキュメントを特定する特定情報を取得する特定情報取得手段と、前記特定情報取得手段により取得された前記特定情報を用いて、前記ドキュメントから生成されるドキュメント画像の生成を要求する要求手段と、前記要求手段による要求によって生成された前記ドキュメント画像を用いて予め定められた処理を実行する実行手段とを有することを特徴とする。
【発明の効果】
【０００９】
本発明によれば、印刷物を撮影することで得られた撮影画像から、ドキュメントを特定する特定情報を用いて、ドキュメントから生成されるドキュメント画像の生成を要求し、生成されたドキュメント画像を用いて予め定められた処理を実行するので、より高画質な画像を用いて処理を実行可能となる。
【図面の簡単な説明】
【００１０】
【図１】本発明の実施の形態に係る画像形成装置であるプリンタを含む画像形成システムの概略構成を示す図である。
【図２】ＰＣ、プリンタ、ドキュメントサーバ、及び携帯端末のハードウェア構成を示す図である。
【図３】ＰＣ、プリンタ、ドキュメントサーバ、及び携帯端末のソフトウェア構成を示す図である。
【図４】プリンタで印刷される３種類の印刷物を示す図である。
【図５】プリンタドライバにより実行される図４（Ａ）の印刷物に対応する印刷データ送付処理の手順を示すフローチャートである。
【図６】携帯端末により実行される図４（Ａ）の印刷物に対応する表示処理の手順を示すフローチャートである。
【図７】ドキュメントサーバにより実行される図４（Ａ）の印刷物に対応するサーバ処理の手順を示すフローチャートである。
【図８】プリンタドライバにより実行される図４（Ｂ）の印刷物に対応する印刷データ送付処理の手順を示すフローチャートである。
【図９】携帯端末により実行される図４（Ｂ）の印刷物に対応する印刷要求処理の手順を示すフローチャートである。
【図１０】ドキュメントサーバにより実行される図４（Ｂ）の印刷物に対応するサーバ処理の手順を示すフローチャートである。
【図１１】携帯端末により実行される図４（Ｃ）の印刷物に対応する表示処理の手順を示すフローチャートである。
【図１２】ドキュメントサーバにより実行される図４（Ｃ）の印刷物に対応するサーバ処理の手順を示すフローチャートである。
【発明を実施するための形態】
【００１１】
以下、本発明の実施の形態について図面を参照しながら詳述する。
【００１２】
図１は、本発明の実施の形態に係る画像形成装置であるプリンタ１０２を含む画像形成システム１００の概略構成を示す図である。
【００１３】
図１において、画像形成システム１００は、情報処理装置であるＰＣ１０１（Personal Computer）、プリンタ１０２、ドキュメントサーバ１０３、及び携帯端末１０４で構成され、それらはネットワーク１０５により接続されている。
【００１４】
ＰＣ１０１にはプリンタドライバがインストールされており、このプリンタドライバはドキュメントを印刷するための印刷データをプリンタ１０２に送信する。
【００１５】
プリンタ１０２はＰＣ１０１や携帯端末１０４から送信された印刷データを受信して印刷することができる。
【００１６】
ドキュメントサーバ１０３は、ドキュメントに関連する各種ファイルを記憶できるドキュメントサーバである。携帯端末１０４は、カメラ付きの携帯端末である。
【００１７】
図２は、ＰＣ１０１、プリンタ１０２、ドキュメントサーバ１０３、及び携帯端末１０４のハードウェア構成を示す図である。
【００１８】
図２（Ａ）は、プリンタ１０２のハードウェア構成を示す図である。
【００１９】
図２（Ａ）において、プリンタ１０２は、ＣＰＵ１２１１、ＲＡＭ１２１２、ＲＯＭ１２１３、ネットワークインタフェース１２１４、操作パネル１２１５、及びエンジン１２１６で構成される。
【００２０】
ＣＰＵ１２１１は、プリンタ１０２全体を制御する。ＲＡＭ１２１２は、ＣＰＵ１２１１のワークエリアとして用いられたり、各種プログラムや各種データを記憶する。
【００２１】
ＲＯＭ１２１３は、ブートプログラムや各種処理を実行するための各種プログラムなどを記憶する。プリンタ１０２が実行する後述するフローチャートは、ＲＯＭ１２１３に記憶されたプログラムがＲＡＭ１２１２に展開され、ＣＰＵ１２１１により実行される処理を示している。
【００２２】
ネットワークインタフェース１２１４は、プリンタ１０２に対する印刷データの入力を受け付ける。操作パネル１２１５は、ユーザからの操作を受け付けたり、ユーザに情報を表示する。
【００２３】
エンジン１２１６は、ＲＡＭ１２１２へ展開されるビットマップ画像を印刷用紙に出力する。
【００２４】
図２（Ｂ）は、ＰＣ１０１、及びドキュメントサーバ１０３のハードウェア構成を示す図である。ここではＰＣ１０１を例にして説明する。
【００２５】
図２（Ｂ）において、ＰＣ１０１は、ＣＰＵ１２２１、ＲＡＭ１２２２、ＲＯＭ１２２３、ＨＤ１２２４、ネットワークインタフェース１２２５、キーボード１２２６、及びディスプレイ１２２７で構成される。
【００２６】
ＣＰＵ１２２１は、ＰＣ１０１全体を制御する。ＲＡＭ１２２２は、ＣＰＵ１２２１のワークエリアとして用いられたり、各種プログラムや各種データを記憶する。
【００２７】
ＲＯＭ１２２３は、ブートプログラムや各種処理を実行するための各種プログラムなどを記憶する。ＰＣ１０１が実行する後述するフローチャートは、ＲＯＭ１２２３に記憶されたプログラムがＲＡＭ１２２２に展開され、ＣＰＵ１２２１により実行される処理を示している。
【００２８】
ＨＤ１２２４は、ドキュメント等のファイルなどを記憶する。ネットワークインタフェース１２２５は、ＰＣ１０１とネットワーク１０５とのインタフェースである。キーボード１２２６は、ユーザからの操作を受け付ける。ディスプレイ１２２７は、ユーザに情報を表示する。
【００２９】
図２（Ｃ）は、携帯端末１０４のハードウェア構成を示す図である。
【００３０】
図２（Ｃ）において、携帯端末１０４は、ＣＰＵ１２３１、ＲＡＭ１２３２、ＲＯＭ１２３３、ＨＤ１２３４、ネットワークインタフェース１２３５、操作パネル１２３６、ディスプレイ１２３７、及びカメラ１２３８で構成される。
【００３１】
ＣＰＵ１２３１は、携帯端末１０４全体を制御する。ＲＡＭ１２３２は、ＣＰＵ１２３１のワークエリアとして用いられたり、各種プログラムや各種データを記憶する。
【００３２】
ＲＯＭ１２３３は、ブートプログラムや各種処理を実行するための各種プログラムなどを記憶する。携帯端末１０４が実行する後述するフローチャートは、ＲＯＭ１２３３に記憶されたプログラムがＲＡＭ１２３２に展開され、ＣＰＵ１２３１により実行される処理を示している。
【００３３】
ＨＤ１２３４は、ドキュメント等のファイルなどを記憶する。ネットワークインタフェース１２３５は、携帯端末１０４とネットワーク１０５とのインタフェースである。操作パネル１２３６は、ユーザからの操作を受け付ける。ディスプレイ１２３７は、ユーザに情報を表示する。カメラ１２３８は、光学部材やＣＣＤセンサなどで構成される被写体を撮影するカメラである。
【００３４】
図３は、ＰＣ１０１、プリンタ１０２、ドキュメントサーバ１０３、及び携帯端末１０４のソフトウェア構成を示す図である。なお、図３に示される構成では、本実施の形態に関連しないソフトウェアについては省略している。
【００３５】
図３（Ａ）は、ＰＣ１０１のプリンタドライバのソフトウェア構成を示す図である。
【００３６】
図３（Ａ）において、プリンタドライバは、印刷データ生成部２０１ａ、通信部２０１ｂ、設定部２０１ｃ、及び制御部２０１ｄで構成される。
【００３７】
印刷データ生成部２０１ａは、ドキュメントから印刷データを生成する。通信部２０１ｂは、他デバイスと通信を行う。設定部２０１ｃは、ユーザの設定を管理する。制御部２０１ｄは、プリンタドライバ全体を制御する。
【００３８】
図３（Ｂ）は、プリンタ１０２のソフトウェア構成を示す図である。
【００３９】
図３（Ｂ）において、プリンタ１０２は、印刷データ受信部２０２ａ、印刷データ解析部２０２ｂ、画像生成部２０２ｃ、及び制御部２０２ｄで構成される。
【００４０】
印刷データ受信部２０２ａは、印刷データを受信する。印刷データ解析部２０２ｂは、印刷データを解析する。画像生成部２０２ｃは、解析結果から印刷画像を生成する。制御部２０２ｄは、プリンタ１０２全体を制御する。
【００４１】
図３（Ｃ）は、ドキュメントサーバ１０３のソフトウェア構成を示す図である。
【００４２】
図３（Ｃ）において、ドキュメントサーバ１０３は、通信部２０３ａ、ファイル解析部２０３ｂ、画像生成部２０３ｃ、及び制御部２０３で構成される。
【００４３】
通信部２０３ａは、他デバイスと通信を行う。ファイル解析部２０３ｂは、記憶されたファイルを解析する。画像生成部２０３ｃは、解析結果から画像を生成する。制御部２０３ｄは、ドキュメントサーバ全体を制御する。
【００４４】
図３（Ｄ）は、携帯端末１０４のソフトウェア構成を示す図である。
【００４５】
図３（Ｄ）において、携帯端末１０４は、通信部２０４ａ、撮影部２０４ｂ、表示部２０４ｃ、操作部２０４で、認識部２０４ｅ、及び制御部２０４ｆで構成される。
【００４６】
通信部２０４ａは、他デバイスと通信を行う。撮影部２０４ｂは、撮影処理を行う。表示部２０４ｃは、ディスプレイ１２３７を制御してユーザへ各種表示を行う。操作部２０４ｄは、操作パネル１２３６でのユーザ操作を認識する。認識部２０４ｅは、画像の認識処理を行う。制御部２０４ｆは、携帯端末全体を制御する。
【００４７】
以上説明した構成において、本実施の形態ではプリンタ１０２で３種類の印刷物を印刷する。
【００４８】
図４は、プリンタ１０２で印刷される３種類の印刷物を示す図である。
【００４９】
図４（Ａ）は、ＱＲコード(登録商標)４０１ａが印刷された印刷物４０１を示す図である。
【００５０】
図４（Ｂ）は、ＱＲコード(登録商標)４０２ａ，４０２ｂ、及びウォーターマーク４０２ｃが印刷された印刷物４０２を示す図である。
【００５１】
図４（Ｃ）は、ＱＲコード(登録商標)４０３ａ、及び付箋紙４０３ｂが印刷された印刷物４０３を示す図である。
【００５２】
各図におけるＱＲコード(登録商標)４０１ａ，４０２ａ，４０２ｂ，４０３ａは、各印刷物のドキュメントまたはウォーターマークの記憶場所を示すファイルパスを示すものとなっている。なお、本実施の形態におけるドキュメントとは、プリンタ１０２が印刷物を印刷するための電子データを示している。また、ＱＲコード(登録商標)に限らず、ファイルパスを示すことが可能であれば、バーコードなど他のコードを用いてもよい。
【００５３】
以下、印刷物４０１，４０２，４０３の各々に対応する処理について順に説明していく。
【００５４】
まず印刷物４０１に対応するプリンタドライバ、携帯端末１０４、及びドキュメントサーバ１０３での処理について説明する。
【００５５】
図５は、プリンタドライバにより実行される図４（Ａ）の印刷物４０１に対応する印刷データ送付処理の手順を示すフローチャートである。
【００５６】
図５において、制御部２０１ｄは、通信部２０１ｂを利用して、印刷対象であるドキュメントの記憶をドキュメントサーバ１０３に要求することで、ドキュメントをドキュメントサーバ１０３に記憶する（ステップＳ３０１）。このステップＳ３０１は、プリンタ１０２が印刷するドキュメントを記憶する記憶手段に対応する。
【００５７】
次いで、制御部２０１ｄは、ファイルパスをファイルパスとしてドキュメントサーバ１０３から取得する（ステップＳ３０２）。このステップＳ３０２は、記憶されたドキュメントを特定する特定情報を取得する取得手段に対応する。このファイルパスは、ドキュメントを特定する特定情報に対応している。
【００５８】
印刷データ生成部２０１ａは、プリンタ１０２で印刷できる印刷データを印刷対象のドキュメントから生成する（ステップＳ３０３）。このステップＳ３０３は、ドキュメントからプリンタ１０２で印刷するための印刷データを生成する生成手段に対応する。
【００５９】
印刷データ生成部２０１ａは、ステップＳ３０２で取得されたファイルパスを示すＱＲコード(登録商標)を印刷データに追加する（ステップＳ３０４）。このＱＲコード(登録商標)は、特定情報を示す画像に対応し、ステップＳ３０４は、特定情報を示す画像を生成された印刷データに追加する追加手段に対応する。
【００６０】
そして、制御部２０１ｄは、通信部２０１ｂを利用して生成した印刷データをプリンタ１０２へ送付して（ステップＳ３０５）、本処理を終了する。このステップＳ３０５は、特定情報を示す画像が追加された印刷データを印刷するためにプリンタ１０２に送付する送付手段に対応する。
【００６１】
このように送信された印刷データをプリンタ１０２が受信し、印刷することで、図４（Ａ）の印刷物４０１が得られる。
【００６２】
図６は、携帯端末１０４により実行される図４（Ａ）の印刷物４０１に対応する表示処理の手順を示すフローチャートである。
【００６３】
図６において、撮影部２０４ｂがドキュメントを印刷物４０１を撮影し、撮影画像として記憶し（ステップＳ５０１）、表示部２０４ｃは撮影画像をユーザに表示する（ステップＳ５０２）。このステップＳ５０１は撮影手段に対応する。
【００６４】
次いで、操作部２０４ｄがユーザの操作を認識し、拡大表示が指示されたか否か判別する（ステップＳ５０３）。
【００６５】
ステップＳ５０３の判別の結果、拡大表示以外が指示された場合には（ステップＳ５０２でＮＯ）、指示に対する処理を行い（ステップＳ５０４）、ステップＳ５０２に戻る。
【００６６】
一方、ステップＳ５０３の判別の結果、拡大表示が指示された場合には（ステップＳ５０２でＹＥＳ）、認識部２０４ｅは撮影画像を認識し、ＱＲコード(登録商標)４０１ａからファイルパスが認識できたか否か判別する（ステップＳ５０５）。
【００６７】
ステップＳ５０５の判別の結果、ファイルパスが認識できなかった場合には（ステップＳ５０５でＮＯ）、表示部２０４ｃはステップＳ５０１で撮影した撮影画像を拡大表示して（ステップＳ５０６）、本処理を終了する。
【００６８】
一方、ステップＳ５０５の判別の結果、ファイルパスが認識できた場合には（ステップＳ５０５でＹＥＳ）、制御部２０４ｆは撮影画像を表示した拡大画像が見難いか否か判別する（ステップＳ５０７）。ここでの判別基準については後述する。
【００６９】
ステップＳ５０７の判別の結果、撮影画像を表示した拡大画像が見難くない場合には（ステップＳ５０７でＮＯ）、上記ステップＳ５０６に進む。
【００７０】
一方、ステップＳ５０７の判別の結果、撮影画像を表示した拡大画像が見難い場合には（ステップＳ５０７でＹＥＳ）、認識したファイルパスを取得し、通信部２０４ａを利用してドキュメントサーバ１０３にドキュメント画像の生成を要求する（ステップＳ５０８）。このステップＳ５０８は、印刷物を撮影することで得られた撮影画像から、ドキュメントを特定する特定情報を取得する特定情報取得手段に対応し、さらに特定情報を用いて、ドキュメントから生成されるドキュメント画像の生成を要求する要求手段に対応する。なお、ドキュメント画像とは、ドキュメントが示す画像のことである。
【００７１】
次いで、ステップＳ５０８での要求がドキュメントサーバ１０３から要求が拒否されたか否か判別する（ステップＳ５０９）。
【００７２】
ステップＳ５０９の判別の結果、ドキュメントサーバ１０３から要求が拒否された場合には（ステップＳ５０９でＹＥＳ）、上記ステップＳ５０６に進む。
【００７３】
一方、ステップＳ５０９の判別の結果、ドキュメントサーバ１０３から要求が拒否されなかった場合には（ステップＳ５０９でＮＯ）、表示部２０４ｃは、ドキュメントサーバ１０３が生成されたドキュメント画像を拡大表示して（ステップＳ５１０）、本処理を終了する。このステップＳ５１０は、要求によって生成されたドキュメント画像を用いて予め定められた処理を実行する実行手段に対応し、ここでの予め定められた処理は、ドキュメント画像を表示する処理である。
【００７４】
上記ステップＳ５０７での、撮影画像を表示した拡大画像が見難いか否かの判別基準について説明する。
【００７５】
本実施の形態では、拡大表示の要求解像度≧撮影画像の解像度×２が満たされない場合には、拡大画像が見難いと判別するようになっている。
【００７６】
例えば３００ｄｐｉの撮影画像に対して、拡大表示の要求解像度が６００ｄｐｉの場合、６００≧３００×２（＝６００）となり、撮影画像を拡大表示しても見易いと判別される。
【００７７】
一方、１００ｄｐｉの撮影画像に対して、拡大表示の要求解像度が６００ｄｐｉの場合、６００≦１００×２（＝２００）となり、拡大表示すると見難いと判別される。
【００７８】
このように、本実施の形態では、表示するために要求された要求解像度が撮影画像の解像度の２倍以上であるときは、ドキュメント画像を取得せずに、撮影画像を要求解像度で表示するようになっている。なお、撮影画像よりも、印刷物の原本データであるドキュメントから生成されたドキュメント画像の方が高画質であることは一般的なことである。
【００７９】
図７は、ドキュメントサーバ１０３により実行される図４（Ａ）の印刷物４０１に対応するサーバ処理の手順を示すフローチャートである。
【００８０】
図７において、制御部２０３ｄは、通信部２０３ａを確認し、プリンタドライバからファイルの記憶を要求されたか否か判別する（ステップＳ６０１）。
【００８１】
ステップＳ６０１の判別の結果、ファイルの記憶を要求されていない場合には（ステップＳ６０１でＮＯ）、ステップＳ６０４に進む。
【００８２】
一方、ステップＳ６０１の判別の結果、ファイルの記憶を要求された場合には（ステップＳ６０１でＹＥＳ）、制御部２０３ｄは、要求されたファイルを記憶する（ステップＳ６０２）。
【００８３】
そして制御部２０３ｄは、通信部２０３ａを利用し、ファイルの記憶場所を示すファイルパスを要求元であるプリンタドライバに通知する（ステップＳ６０３）。
【００８４】
次いで、制御部２０３ｄは、通信部２０３ａを確認し、携帯端末１０４からファイルパスとともにドキュメント画像の生成が要求されたか否か判別する（ステップＳ６０４）。
【００８５】
ステップＳ６０４の判別の結果、ドキュメント画像の生成が要求されていない場合には（ステップＳ６０４でＮＯ）、ステップＳ６１１に進む。
【００８６】
一方、ステップＳ６０４の判別の結果、ドキュメント画像の生成が要求された場合には（ステップＳ６０４でＹＥＳ）、制御部２０３ｄは、ドキュメント画像の生成を要求されたドキュメントが存在するか否か判別する（ステップＳ６０５）。
【００８７】
ステップＳ６０５の判別の結果、ドキュメントが存在しない場合には（ステップＳ６０５でＮＯ）、制御部２０３ｄは、通信部２０３ａを利用し、要求元である携帯端末１０４に要求に対する拒否を通知して（ステップＳ６０６）、ステップＳ６１１に進む。
【００８８】
一方、ステップＳ６０５の判別の結果、ドキュメントが存在する場合には（ステップＳ６０５でＹＥＳ）、制御部２０３ｄは、要求されたドキュメント画像が既に存在するか否か判別する（ステップＳ６０７）。
【００８９】
ステップＳ６０７の判別の結果、要求されたドキュメント画像が既に存在する場合には（ステップＳ６０７でＹＥＳ）、ステップＳ６０９に進む。
【００９０】
一方、ステップＳ６０７の判別の結果、要求されたドキュメント画像が既に存在しない場合には（ステップＳ６０７でＮＯ）、ファイル解析部２０３ｂは要求されたドキュメントの解析を行い、解析結果から画像生成部２０３ｃがドキュメント画像を生成する（ステップＳ６０８）。このステップＳ６０８は、ドキュメントから生成されるドキュメント画像の生成を、ドキュメントを特定する特定情報とともに要求された場合に、ドキュメントからドキュメント画像を生成する生成手段に対応する。
【００９１】
次いで、制御部２０３ｄは、ドキュメント画像のタイムスタンプを現在時刻に更新する（ステップＳ６０９）。
【００９２】
そして、制御部２０３ｄは、通信部２０３ａを利用し、要求元である携帯端末１０４にドキュメント画像の生成終了を通知することで提供する（ステップＳ６１０）。このステップＳ６１０は、生成されたドキュメント画像を要求元に提供する提供手段に対応する。
【００９３】
次いで、制御部２０３ｄは、ドキュメント画像が際限なく増えることを防ぐため、現在時刻に対して規定時間以上古いタイムスタンプのドキュメント画像を削除して（ステップＳ６１１）、ステップＳ６０１に戻る。
【００９４】
図５〜７の処理により、印刷物を撮影した画像に対して拡大表示を行う場合、ドキュメントサーバのドキュメント画像が使用されることにより、高画質の拡大表示を実現できるようになる。
【００９５】
次に印刷物４０２に対応するプリンタドライバ、携帯端末１０４、及びドキュメントサーバ１０３での処理について説明する。
【００９６】
図８は、プリンタドライバにより実行される図４（Ｂ）の印刷物４０２に対応する印刷データ送付処理の手順を示すフローチャートである。
【００９７】
なお、この処理は、図５のステップＳ３０４に代わる処理がステップＳ３０３とステップＳ３０５に挿入されたものであるため、それらの処理について説明する。また、以下の説明では、合成画像であるウォーターマークをＷＭと表現することがある。
【００９８】
図８において、ステップＳ３０３を行うと、設定部２０１ｃは、印刷対象のドキュメントに対してＷＭが指定されているか否か判別する（ステップＳ７０４）。
【００９９】
ステップＳ７０４の判別の結果、ＷＭが指定されていない場合には（ステップＳ７０４でＮＯ）、印刷データ生成部２０１ａは、ステップＳ３０２で取得されたファイルパスを示すＱＲコード(登録商標)を印刷データに追加して（ステップＳ７０９）、本処理を終了する。
【０１００】
一方、ステップＳ７０４の判別の結果、ＷＭが指定されている場合には（ステップＳ７０４でＹＥＳ）、制御部２０１ｄは、通信部２０１ｂを利用して、合成画像に関する合成画像情報であるＷＭ情報の記憶をドキュメントサーバ１０３に要求することで、ＷＭ情報をドキュメントサーバ１０３に記憶する（ステップＳ７０５）。なお、ＷＭ情報には、ＷＭの内容や位置を示す情報が含まれている。
【０１０１】
次いで、制御部２０１ｄは、通信部２０１ｂを利用して、ＷＭ情報が記憶された場所を示すファイルパスを、ウォーターマークパスとしてドキュメントサーバ１０３から取得する（ステップＳ７０６）。このＷＭ情報が記憶された場所を示すファイルパスであるウォーターマークパスは、他の特定情報に対応している。
【０１０２】
そして、印刷データ生成部２０１ａは、ファイルパスを示す描画情報とウォーターマークパスを示すＱＲコード(登録商標)を印刷データに追加して（ステップＳ７０７）、ステップＳ３０５に進む。
【０１０３】
このように送信された印刷データをプリンタ１０２が受信し、印刷することで、図４（Ｂ）の印刷物４０２が得られる。
【０１０４】
印刷物４０２におけるＱＲコード(登録商標)４０２ａ、４０２ｂは、それぞれファイルパスとウォーターマークパスを示すＱＲコード(登録商標)である。ウォーターマーク４０２ｃの「CONFIDENTIAL」の文字が、オリジナルのドキュメントにはなく、プリンタドライバによって追加されて印刷されたものである。
【０１０５】
このように、本実施の形態では、印刷データに合成画像を合成する場合には、合成画像に関する合成画像情報をさらに記憶し、合成画像情報を特定する他の特定情報をさらに取得し、他の特定情報を示す画像を印刷データにさらに追加するようになっている。
【０１０６】
図９は、携帯端末１０４により実行される図４（Ｂ）の印刷物４０２に対応する印刷要求処理の手順を示すフローチャートである。なお、図６での携帯端末１０４の処理は、拡大表示させる処理であったが、ここでは、プリンタ１０２に印刷を要求する処理を例にしている。
【０１０７】
図９において、撮影部２０４ｂが印刷物４０２を撮影し、撮影画像として記憶し（ステップＳ８０１）、表示部２０４ｃは撮影画像をユーザに表示する（ステップＳ８０２）。
【０１０８】
次いで、操作部２０４ｄがユーザの操作を認識し、印刷が指示されたか否か判別する（ステップＳ８０３）。
【０１０９】
ステップＳ８０３の判別の結果、印刷以外が指示された場合には（ステップＳ８０２でＮＯ）、指示に対する処理を行い（ステップＳ８０４）、ステップＳ８０２に戻る。
【０１１０】
一方、ステップＳ８０３の判別の結果、印刷が指示された場合には（ステップＳ８０２でＹＥＳ）、認識部２０４ｅは撮影画像を認識し、ＱＲコード(登録商標)４０２ａからファイルパスが認識でき、かつＱＲコード(登録商標)４０２ｂからウォーターマークパスが認識できたか否か判別する（ステップＳ８０５）。
【０１１１】
ステップＳ８０５の判別の結果、ファイルパスとウォーターマークパスが認識できなかった場合には（ステップＳ８０５でＮＯ）、制御部２０４ｆはステップＳ８０１で撮影した撮影画像の印刷をプリンタ１０２に要求して（ステップＳ８０６）、本処理を終了する。
【０１１２】
一方、ステップＳ８０５の判別の結果、ファイルパスとウォーターマークパスが認識できた場合には（ステップＳ８０５でＹＥＳ）、制御部２０４ｆは、ファイルパスとウォーターマークパスを参照し、通信部２０４ａを利用して、ウォーターマーク付きのドキュメント画像の生成をドキュメントサーバ１０３に要求する（ステップＳ８０７）。
【０１１３】
次いで、ステップＳ８０７での要求がドキュメントサーバ１０３から要求が拒否されたか否か判別する（ステップＳ８０８）。
【０１１４】
ステップＳ８０８の判別の結果、ドキュメントサーバ１０３から要求が拒否された場合には（ステップＳ８０８でＹＥＳ）、上記ステップＳ８０６に進む。
【０１１５】
一方、ステップＳ８０８の判別の結果、ドキュメントサーバ１０３から要求が拒否されなかった場合には（ステップＳ８０８でＮＯ）、制御部２０４ｆは、ドキュメントサーバ１０３が生成したドキュメント画像の印刷をプリンタ１０２に要求し（ステップＳ８１０）、本処理を終了する。ここで印刷されるドキュメント画像は、ドキュメント画像に合成画像が合成された合成ドキュメント画像である。
【０１１６】
このように、本実施の形態では、印刷物に、ドキュメント画像に合成された合成画像ＷＭがさらに印刷されている場合には、撮影画像から、合成画像ＷＭに関する合成画像情報を特定する他の特定情報であるＷＭ情報をさらに取得し、特定情報、及び他の特定情報を用いて、ドキュメント画像に合成画像が合成された合成ドキュメント画像を取得するようになっている。
【０１１７】
さらに、上記ステップＳ８０９は、要求によって生成されたドキュメント画像を用いて予め定められた処理を実行する実行手段に対応し、ここでの予め定められた処理は、ドキュメント画像の印刷をプリンタ１０２に要求する処理である。
【０１１８】
図１０は、ドキュメントサーバ１０３により実行される図４（Ｂ）の印刷物４０２に対応するサーバ処理の手順を示すフローチャートである。
【０１１９】
図１０において、制御部２０３ｄは、通信部２０３ａを確認し、プリンタドライバからファイルの記憶を要求されたか否か判別する（ステップＳ９０１）。
【０１２０】
ステップＳ９０１の判別の結果、ファイルの記憶を要求されていない場合には（ステップＳ９０１でＮＯ）、ステップＳ９０４に進む。
【０１２１】
一方、ステップＳ９０１の判別の結果、ファイルの記憶を要求された場合には（ステップＳ９０１でＹＥＳ）、制御部２０３ｄは、要求されたファイルを記憶する（ステップＳ９０２）。
【０１２２】
そして制御部２０３ｄは、通信部２０３ａを利用し、ファイルの記憶場所を示すファイルパスを要求元であるプリンタドライバに通知する（ステップＳ９０３）。
【０１２３】
次いで、制御部２０３ｄは、通信部２０３ａを確認し、携帯端末１０４からＷＷ付きドキュメント画像の生成が要求されたか否か判別する（ステップＳ９０４）。
【０１２４】
ステップＳ９０４の判別の結果、ＷＷ付きドキュメント画像の生成が要求されていない場合には（ステップＳ９０４でＮＯ）、ステップＳ９１３に進む。
【０１２５】
一方、ステップＳ９０４の判別の結果、ＷＷ付きドキュメント画像の生成が要求された場合には（ステップＳ９０４でＹＥＳ）、制御部２０３ｄは、ＷＷ付きドキュメント画像の生成を要求されたドキュメントとＷＭ情報が存在するか否か判別する（ステップＳ９０５）。
【０１２６】
ステップＳ９０７の判別の結果、ドキュメントとＷＭ情報が存在しない場合には（ステップＳ９０５でＮＯ）、制御部２０３ｄは、通信部２０３ａを利用し、要求元である携帯端末１０４に要求に対する拒否を通知して（ステップＳ９０６）、ステップＳ９１３に進む。
【０１２７】
一方、ステップＳ９０５の判別の結果、ドキュメントとＷＭ情報が存在する場合には（ステップＳ９０５でＹＥＳ）、制御部２０３ｄは、要求されたドキュメント画像が既に存在するか否か判別する（ステップＳ９０７）。
【０１２８】
ステップＳ９０７の判別の結果、要求されたドキュメント画像が既に存在する場合には（ステップＳ９０７でＹＥＳ）、ステップＳ９１１に進む。
【０１２９】
一方、ステップＳ９０７の判別の結果、要求されたドキュメント画像が既に存在しない場合には（ステップＳ９０７でＮＯ）、ファイル解析部２０３ｂは要求されたドキュメントの解析を行い、解析結果から画像生成部２０３ｃがドキュメント画像を生成する（ステップＳ９０８）。
【０１３０】
さらに、ファイル解析部２０３ｂは要求されたＷＭ情報の解析を行い、解析結果から画像生成部２０３ｃがＷＭ画像を生成する（ステップＳ９０９）。
【０１３１】
そして、制御部２０３ｄはドキュメント画像にＷＭ画像を合成する（ステップＳ９１０）。
【０１３２】
次いで、制御部２０３ｄは、ドキュメント画像のタイムスタンプを現在時刻に更新する（ステップＳ９１１）。
【０１３３】
そして、制御部２０３ｄは、通信部２０３ａを利用し、要求元である携帯端末１０４にドキュメント画像の生成終了を通知する（ステップＳ９１２）。
【０１３４】
次いで、制御部２０３ｄは、ドキュメント画像が際限なく増えることを防ぐため、現在時刻に対して規定時間以上古いタイムスタンプのドキュメント画像を削除して（ステップＳ９１３）、ステップＳ９０１に戻る。
【０１３５】
このように、本実施の形態では、ドキュメント画像の生成を、合成画像情報を特定する他の特定情報とともに要求された場合には、他の特定情報で特定される合成画像情報から合成画像をさらに生成してドキュメント画像に合成した合成ドキュメント画像を生成し、合成ドキュメント画像を提供するようになっている。
【０１３６】
図８〜１０の処理により、ウォーターマークのようにプリンタドライバが付加した情報がある印刷物に対しても、高画質の拡大表示や印刷が可能になる。
【０１３７】
次に印刷物４０３に対応する携帯端末１０４、及びドキュメントサーバ１０３での処理について説明する。
【０１３８】
図１１は、携帯端末１０４により実行される図４（Ｃ）の印刷物４０３に対応する表示処理の手順を示すフローチャートである。
【０１３９】
図１１において、撮影部２０４ｂが印刷物４０３を撮影し、撮影画像として記憶する（ステップＳ１００１）。
【０１４０】
次いで、制御部２０４ｆは、認識部２０４ｅが認識した印刷物のファイルパスを参照し、通信部２０４ａを利用してドキュメントサーバ１０３にドキュメント画像の生成を要求する（ステップＳ１００２）。
【０１４１】
そして、制御部２０４ｆはドキュメントサーバ１０３から撮影画像の送信を要求され、操作部２０４ｄはユーザの操作を認識し、撮影画像の送信が了承されたか否か判別する（ステップＳ１００３）。
【０１４２】
ステップＳ１００３の判別の結果、撮影画像の送信が了承されなかった場合には（ステップＳ１００３でＮＯ）、制御部２０４ｆは、ドキュメントサーバによって生成された付箋紙を含まないドキュメント画像を拡大表示して、印刷をプリンタ１０２に要求して（ステップＳ１００６）、本処理を終了する。
【０１４３】
一方、ステップＳ１００３の判別の結果、撮影画像の送信が了承された場合には（ステップＳ１００３でＹＥＳ）、制御部２０４ｆは、通信部２０４ａを利用してドキュメントサーバ１０３に撮影画像を送信する（ステップＳ１００４）。
【０１４４】
次いで、制御部２０４ｆは、ドキュメントサーバによって合成された付箋紙を含んだドキュメント画像を拡大表示して、印刷をプリンタ１０２に要求して（ステップＳ１００５）、本処理を終了する。ステップＳ１００５でのドキュメント画像は、ドキュメント画像に新たに加えられた要素を示す追加要素合成ドキュメント画像である。この新たに加えられた要素は、本実施の形態では上記付箋であるが、手書き文字などであってもよい。
【０１４５】
図１２は、ドキュメントサーバ１０３により実行される図４（Ｃ）の印刷物４０３に対応するサーバ処理の手順を示すフローチャートである。
【０１４６】
図１２において、ファイル解析部２０３ｂは、携帯端末１０４から要求されたドキュメントの解析を行い、解析結果から画像生成部２０３ｃがドキュメント画像を生成する（ステップＳ１１０１）。
【０１４７】
次いで、制御部２０３ｄは、携帯端末１０４に対して撮影画像を要求する（ステップＳ１１０２）。
【０１４８】
そして、ステップＳ１１０２での要求が拒否されたか否か判別する（ステップＳ１１０３）。ステップＳ１１０３の判別の結果、要求が拒否された場合には（ステップＳ１１０３でＹＥＳ）、ステップＳ１１０６に進む。
【０１４９】
一方、ステップＳ１１０３の判別の結果、要求が拒否されなかった場合には（ステップＳ１１０３でＮＯ）、制御部２０３ｄは撮影画像とドキュメント画像に差分があるか否か判別する（ステップＳ１１０４）。
【０１５０】
ステップＳ１１０４の判別の結果、差分がない場合には（ステップＳ１１０４でＮＯ）、ステップＳ１１０６に進む。
【０１５１】
一方、ステップＳ１１０４の判別の結果、差分がある場合には（ステップＳ１１０４でＹＥＳ）、制御部２０３ｄは差分が発生している画像領域を撮影画像から抽出し、それをドキュメント画像に合成する（ステップＳ１１０５）。この合成によって、撮影画像にだけ含まれていた付箋紙がドキュメント画像に反映される。
【０１５２】
そして、制御部２０３ｄは、通信部２０３ａを利用し、ドキュメント画像の生成終了を携帯端末１０４に通知して（ステップＳ１１０６）、本処理を終了する。
【０１５３】
このように、本実施の形態では、印刷物の印刷後に新たに加えられた要素を示す画像が含まれている撮影画像を受信した場合には、ドキュメント画像と撮影画像との差分をとることで新たに加えられた要素を示す画像を抽出し、ドキュメント画像に抽出した画像を合成した追加要素合成ドキュメント画像を提供するようになっている。
【０１５４】
図１１，１２の処理によれば、付箋紙のようにユーザが付加した情報がある印刷物に対しても、付加された情報を含め、高画質の拡大表示や印刷が可能になる。
【０１５５】
本実施の形態によれば、印刷物を撮影し（ステップＳ５０１）、印刷物を撮影することで得られた撮影画像から、ドキュメントを特定する特定情報を用いて、ドキュメントから生成されるドキュメント画像の生成を要求し（ステップＳ５０８）、生成されたドキュメント画像を用いて予め定められた処理を実行する（ステップＳ５０１０）ので、より高画質な画像を用いて処理を実行可能となる。
【０１５６】
実際、図４に示した各印刷物に対するいずれの処理においても、撮影画像より高画質なドキュメント画像を用いて予め定められた処理を実行するので、撮影画像に対して予め定められた処理を実行する場合と比較して、より高画質な画像を用いて処理を実行可能となる。
【０１５７】
また、本実施の形態によれば、ウォーターマークや付箋紙のようにプリンタドライバやユーザが印刷物に後から追加した情報があっても、それらを考慮した表示や印刷が可能になる。
【０１５８】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１５９】
１００  画像形成システム
１０１  ＰＣ
１０２  プリンタ
１０３  ドキュメントサーバ
１０４  携帯端末
１２１１，１２２１，１２３１  ＣＰＵ
１２１２，１２２２，１２３２  ＲＡＭ
１２１３，１２２３，１２３３  ＲＯＭ
１２３８  カメラ
【図１】
2015103942.tif 000003
【図２】
2015103942.tif 000004
【図３】
2015103942.tif 000005
【図４】
2015103942.tif 000006
【図５】
2015103942.tif 000007
【図６】
2015103942.tif 000008
【図７】
2015103942.tif 000009
【図８】
2015103942.tif 000010
【図９】
2015103942.tif 000011
【図１０】
2015103942.tif 000012
【図１１】
2015103942.tif 000013
【図１２】
2015103942.tif 000014